(57)【特許請求の範囲】
【請求項１】
互いに電気的接続が必要な第１及び第２電気部材と、レンズと、前記レンズを固定するレンズ固定部材と、を有する光学装置であって、
前記レンズ固定部材は、メッキ可能な第１材料と前記メッキが付き難い第２材料との二色成型で製造されるとともに、前記第１材料の表面に導電性メッキが施されたメッキ部を有し、
前記レンズ固定部材の前記メッキ部は前記第１電気部材と導通し、
前記レンズ固定部材の前記メッキ部が前記第１電気部材と導通するために当該メッキ部以外の導電部材と接続する箇所と、前記第２電気部材とは、前記レンズ固定部材の少なくとも一部を挟んで位置し、
前記第１材料及び前記第２材料のいずれも成型されていない空間を通る導電部材を介して、前記レンズ固定部材の前記メッキ部と前記第２電気部材とが導通することで、前記第１電気部材と前記第２電気部材とが互いに電気的接続したことを特徴とする光学装置。
【請求項２】
請求項１に記載の光学装置であって、
前記レンズ固定部材を前記レンズの光軸方向に摺動可能に支持する筒部材を備え、
前記筒部材は、メッキ可能な第１材料と前記メッキが付き難い第２材料との二色成型で製造されるとともに、前記第１材料の表面に導電性メッキが施されたメッキ部を有し、
前記筒部材の前記メッキ部は、前記筒部材の少なくとも内周面に形成され、
前記筒部材の前記メッキ部は前記第１電気部材と導通し、
前記レンズ固定部材の前記メッキ部に導通して取り付けられたバネ性を有する導電接片が、前記筒部材の内周面に形成された前記メッキ部と摺動可能に導通することを特徴とする光学装置。
【請求項３】
請求項１又は２に記載の光学装置であって、
前記レンズ固定部材は、前記第１材料及び前記第２材料のいずれも成型されていない空間として開口部を有し、
前記開口部を通る前記導電部材を介して、前記レンズ固定部材の前記メッキ部と前記第２電気部材とが導通したことを特徴とする光学装置。
【請求項４】
請求項１〜３のいずれか１項に記載の光学装置であって、
前記第２電気部材は、前記レンズの被写体側に位置するシャッタ絞りを駆動する駆動部であることを特徴とする光学装置。
【請求項５】
請求項１〜４のいずれか１項に記載の光学装置を備えることを特徴とするレンズ鏡筒。
【請求項６】
請求項１〜４のいずれか１項に記載の光学装置を備えることを特徴とするカメラ。
【発明の詳細な説明】
【技術分野】
【０００１】
本発明は、光学装置、レンズ鏡筒及びカメラに関するものである。
【背景技術】
【０００２】
従来、光学装置、例えばレンズ鏡筒において、レンズ鏡筒内に配されたシャッタとそのシャッタを制御する回路基板等の、電気的接続が必要な２部材の間を電気的に接続するために、フレキシブルプリント基板（以下、ＦＰＣという）が使用されている（例えば、特許文献１参照）。
【特許文献１】特開２００３−１４００２２号公報
【発明の開示】
【発明が解決しようとする課題】
【０００３】
しかし、ＦＰＣを使用する場合、レンズ鏡筒が収縮する際のＦＰＣの収納用スペースが必要である。また、ＦＰＣは曲げ部の“しごき”などを繰り返すことにより、疲労などにより断線する可能性がある。さらに、ＦＰＣ自身が光を反射し、ゴースト等を生じる場合があり、これを防止するために反射防止剤を塗布するとコストが高くなる。また、ＦＰＣが鏡筒駆動時の負荷になったり、設計通りの動きをせずに鏡筒動作を阻害したりするという問題がある。
【０００４】
本発明の課題は、レンズ鏡筒内に配置された電子部品（モータ、シャッタ、投受光センサーなど）と、これらを駆動する制御回路を電気的に接続するのに、ＦＰＣを使用せずに接続することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、互いに電気的接続が必要な第１及び第２電気部材（１４，８４）と、レンズ（Ｌ３）と、前記レンズを固定するレンズ固定部材（７０）と、を有する光学装置（１）であって、前記レンズ固定部材（７０）は、メッキ可能な第１材料（７７）と前記メッキが付き難い第２材料（７８）との二色成型で製造されるとともに、前記第１材料（７７）の表面に導電性メッキが施されたメッキ部（７９）を有し、前記レンズ固定部材（７０）の前記メッキ部（７９）は前記第１電気部材（１４）と導通し、前記レンズ固定部材（７０）の前記メッキ部（７９）が前記第１電気部材（１４）と導通するために当該メッキ部（７９）以外の導電部材（９０）と接続する箇所と、前記第２電気部材（８４）とは、前記レンズ固定部材（７０）の少なくとも一部を挟んで位置し、前記第１材料（７７）及び前記第２材料（７８）のいずれも成型されていない空間を通る導電部材（８５）を介して、前記レンズ固定部材（７０）の前記メッキ部（７９）と前記第２電気部材（８４）とが導通することで、前記第１電気部材（１４）と前記第２電気部材（８４）とが互いに電気的接続したことを特徴とする光学装置（１）である。
請求項２に記載の発明は、請求項１に記載の光学装置であって、前記レンズ固定部材（７０）を前記レンズ（Ｌ３）の光軸方向に摺動可能に支持する筒部材（３０）を備え、前記筒部材（３０）は、メッキ可能な第１材料（３４）と前記メッキが付き難い第２材料（３５）との二色成型で製造されるとともに、前記第１材料（３４）の表面に導電性メッキが施されたメッキ部（３６）を有し、前記筒部材（３０）の前記メッキ部（３６）は、前記筒部材（３０）の少なくとも内周面に形成され、前記筒部材（３０）の前記メッキ部（３６）は前記第１電気部材（１４）と導通し、前記レンズ固定部材（７０）の前記メッキ部（７９）に導通して取り付けられたバネ性を有する導電接片（９０）が、前記筒部材（３０）の内周面に形成された前記メッキ部（３６）と摺動可能に導通することを特徴とする光学装置（１）である。
請求項３に記載の発明は、請求項１又は２に記載の光学装置であって、前記レンズ固定部材（７０）は、前記第１材料（７７）及び前記第２材料（７８）のいずれも成型されていない空間として開口部（７６）を有し、前記開口部（７６）を通る導電部材（８５）を介して、前記レンズ固定部材（７０）の前記メッキ部（７９）と前記第２電気部材（８４）とが導通したことを特徴とする光学装置（１）である。
請求項４に記載の発明は、請求項１〜３のいずれか１項に記載の光学装置であって、前記第２電気部材（８４）は、前記レンズ（Ｌ３）の被写体側に位置するシャッタ絞りを駆動する駆動部であることを特徴とする光学装置（１）である。
請求項５に記載の発明は、請求項１〜４のいずれか１項に記載の光学装置（１）を備えることを特徴とするレンズ鏡筒である。
請求項６に記載の発明は、請求項１〜４のいずれか１項に記載の光学装置（１）を備えることを特徴とするカメラである。
【発明の効果】
【０００７】
本発明によれば、レンズ鏡筒内に配置された電子部品（モータ、シャッタ、投受光センサーなど）と、これらを駆動する制御回路を電気的に接続するのに、ＦＰＣを使用せずに接続することができる。
【発明を実施するための最良の形態】
【０００８】
以下、図面等を参照して、本発明の実施形態について説明する。なお、以下に示す各図には、説明と理解を容易にするために、ｘｙｚ直交座標系を設けた。この座標系では、撮影者が光軸Ａを水平として横長の画像を撮影する場合のカメラの位置（以下、通常の撮影位置という）において撮影者から見て左側に向かう方向をｘプラス方向とする。また、通常の撮影位置において上側に向かう方向をｙプラス方向とする。さらに、通常の撮影位置において被写体に向かう方向をｚプラス方向とする。
【０００９】
本実施形態のレンズ鏡筒１は、例えば、レンズ非交換式のデジタルカメラの撮影用レンズ鏡筒に用いられる沈胴式のレンズ鏡筒である。図１から図３までの各図は、レンズ鏡筒１の光軸Ａを含む断面におけるｙプラス側断面図であって、図１は、レンズ鏡筒１の沈胴状態（収納状態）を示し、図２及び図３は、それぞれレンズ鏡筒１におけるワイド状態及びテレ状態を示している。
【００１０】
レンズ鏡筒１は、第１レンズ群Ｌ１、第２レンズ群Ｌ２、第３レンズ群Ｌ３、第４レンズ群Ｌ４、ＣＣＤ１０、光学ローパスフィルタ（ＬＰＦ）１１、ＣＣＤ台１２、第４レンズ群室１３、メイン基板１４、外観カバー２０、固定筒３０、外側直進筒４０、第１レンズ群筒５０、カム筒６０、内側直進筒７０、第２レンズ群筒８０を備える。
【００１１】
第１レンズ群Ｌ１、第２レンズ群Ｌ２、第３レンズ群Ｌ３、第４レンズ群Ｌ４は、４群構成のズームレンズを構成するものであって、光軸Ａ方向に沿って被写体側（被写体側）から順次配列されている。
【００１２】
ＣＣＤ１０は、上述したズームレンズが結像する被写体像を電気的な信号に変換する固体撮像素子であり、第４レンズ群Ｌ４の射出側に配置されている。ＬＰＦ１１は、ＣＣＤ１０が取得する画像上におけるモアレの発生を防止するものであって、ＣＣＤ１０の撮像面に近接した位置に設けられている。
【００１３】
ＣＣＤ台１２は、レンズ鏡筒１の光軸Ａ方向像側の端部に設けられた円板状の部材であって、光軸Ａに対して略直交して配置されている。ＣＣＤ台１２の中央部にはＣＣＤ１０及びＬＰＦ１１が固定されている。また、ＣＣＤ台１２のｙプラス方向の一部分には、開口部１５が設けられている。この開口部１５には、後述する固定筒３０から延びる突出部３３が挿通される。
【００１４】
メイン基板１４は、ＣＣＤ台１２よりもｚマイナス側において、その下部がＣＣＤ台１２のｙプラス側と重なるように配置されている。メイン基板１４のｚマイナス側面には、カメラの各種動作を制御するＣＰＵ（図示せず）や電源供給ライン（図示せず）等が配置されている。そしてメイン基板１４のＣＰＵや電源供給ラインからは、導電性を有し、かつバネ性を有する材料で製造された第１接片１６がｙマイナス方向に延びている。第１接片１６はそのｙマイナス方向の端部において、折れ曲がってメイン基板１４を挟んで斜め上（ｙプラスかつｚプラス方向）に延び、メイン基板１４の被写体側面（ｚプラス側面）側において後述する固定筒３０の突出部３３の内面と接触している。
【００１５】
第４レンズ群室１３は、ＣＣＤ１０及びＬＰＦ１１より光軸Ａ方向被写体側の位置に配置された円環状の部材であり、その内径側に第４レンズ群Ｌ４が固定されている。また、外観カバー２０は、カメラボディ（筐体）と一体に形成された筒体であって、カメラボディの被写体側から突き出して形成されている。
【００１６】
固定筒３０は、外観カバー２０の内径側に配置される筒体であって、ＣＣＤ台１２に対して固定されている。固定筒３０は、その内周面にカム筒６０と係合するヘリコイド３１、及び、外側直進筒４０の突起４２及び内側直進筒７０の突起７２がそれぞれ挿入される直進案内溝３２が形成されている。固定筒３０のｚマイナス側の一部はＣＣＤ台１２における開口部１５から突き出す前述の突出部３３が設けられている。
【００１７】
固定筒３０は、導電性プラスチックで成型された第１材料３４（金属メッキ可能）と、絶縁性プラスチックで成型された第２材料３５（金属メッキが付き難い）との二色成型で製造されており、第１材料３４としては、導電性プラスチックとして種々のタイプのものが利用できるが、例えばＡＢＳ，ポリカーボネート、ポリアセタールなどの熱可塑性プラスチック、またはフェノール、ポリエステル、エポキシなどの熱硬化性プラスチックの中から適宜選択される。第２材料３５としては、絶縁性プラスチックとして上記と同じものが選択される。例えば、第１材料３４としてメッキ用ＡＢＳ樹脂、第２材料３５としてポリカーボネートが使用され、メッキ部分３６のメッキは金メッキである。
【００１８】
二色成型は、一例を示すと、金型に第２材料３５を注入して固定筒３０のベースとしての筒体部分を成型し、次にその型の一部を交換又は移動して、その交換又は移動によって形成された空間に第１材料３４を注入して行う。このように成型することにより、第１材料３４が配置された部分は、第１材料３４と第２材料３５との二層で構成される。固定筒３０において第１材料３４は、その固定筒３０の内周面において、ｚマイナス側端部から被写体側（ｚプラス側）端部まで光軸Ａに沿って延びる２本のラインを形成している。この二色成型で製造された部材に対し、化学メッキ処理を行うと、メッキ可能な第１材料３４の表面にのみメッキが施され、メッキが付き難い第２材料３５の表面はメッキされない。化学メッキ処理としては、まず第１材料３４の表面に下地として銅をメッキする化学メッキ処理を行い、次に、銅の上に金をメッキする化学メッキ処理を行う。これにより、固定筒３０のｚマイナス側端部からｚプラス側端部まで光軸Ａに沿って延びる２本のライン状の金メッキ部分３６が形成される。なおメッキ処理については例えば特開昭５８−９６７９５号公報に開示された技術を利用することができる。
【００１９】
外側直進筒４０は、固定筒３０の内径側に挿入される筒体であり、内周面に第１レンズ群筒５０を直進案内する直進案内溝４１が形成されている。また、外側直進筒４０は、ｚマイナス側の外周面に固定筒３０の直進案内溝３２に挿入される突起４２を備えている。
【００２０】
第１レンズ群筒５０は、外側直進筒４０の内径側でありかつカム筒６０の外径側に配置されている。また、第１レンズ群筒５０は、その内周面であって光軸Ａ方向像側の部分にカムフォロワピン５１が設けられるとともに、その外周面に外側直進筒４０の直進案内溝４１に挿入される突起５２を備えている。さらに、第１レンズ群筒５０は、光軸Ａ方向被写体側の内径側に第１レンズ群Ｌ１が固定される円環状の部材である第１レンズ群室５３がネジ結合によって固定されている。
【００２１】
カム筒６０は、第１レンズ群筒５０の内径側に挿入される筒体であって、外周面に第１レンズ群筒５０のカムフォロワピン５１が挿入されるカム溝５４が形成されるとともに、内周面に第２レンズ群筒８０を駆動するカムフォロアピン８１が挿入されるカム溝６１が形成されている。このカム筒６０は、レンズ鏡筒１の沈胴状態、ワイド状態、及びテレ状態との間の移行に伴う駆動時（以下、単に「レンズ鏡筒１の駆動時」と称する）に図示しない駆動装置によって光軸Ａ回りに回転駆動されることによって、外側直進筒４０、第１レンズ群筒５０、内側直進筒７０、及び、第２レンズ群筒８０を光軸Ａ方向に駆動するものである。
【００２２】
カム筒６０は、光軸Ａ方向像側の端部に径方向外側に突き出して形成された円環状のフランジ部６２を備えており、このフランジ部６２の外周面は、固定筒３０のヘリコイド３１に係合している。
【００２３】
図４は内側直進筒７０の斜視図である。内側直進筒７０は、カム筒６０の内径側に挿入される筒体であって、光軸Ａ方向に沿って延びる延在部７５と、光軸Ａ方向像側の端部に径方向外側に突き出して形成された円環状のフランジ部７１と、延在部７５の内径側に設けられた第３レンズ群室７４とを備えている。
【００２４】
フランジ部７１は、その外周面に固定筒３０の直進案内溝３２に挿入される突起７２が突き出して形成されている。また、フランジ部７１は、その外周面に周方向に形成された溝部７３（図１〜図３参照）を備えており、カム筒６０のフランジ部６２からカム筒６０の内径側に突き出して形成された突起６３がこの溝部７３に嵌合している。これにより、カム筒６０は、光軸Ａ方向に移動する際に外側直進筒４０、内側直進筒７０と一体的に移動し、かつ、これらとは独立して光軸Ａ回りに回転可能になっている。
【００２５】
第３レンズ群室７４は、第３レンズ群Ｌ３を固定する円環状の部分である。この第３レンズ群室７４のｙプラス側には、第３レンズ群室７４を光軸Ａ方向に貫通する開口部７６が設けられている。
【００２６】
この内側直進筒７０も、固定筒３０と同様に金属メッキ可能な第１材料７７と、金属メッキが付き難い第２材料７８との二色成型で製造されており、第１材料７７の表面にはメッキが施されてメッキ部分７９が形成されている。第１材料７７、第２材料７８及びメッキ部分７９のメッキ材料については固定筒３０を構成する第１材料３４、第２材料３５及びメッキ部分３６と同様である。第２材料７８は内側直進筒７０の大部分を構成し、第１材料７７、すなわちメッキ部分７９はその開口部７６から第２材料７８の表面上を２本のラインとして第３レンズ群室７４の外周に向かって延びる。メッキ部分７９は、さらに延在部７５の内周をｚマイナス側に向かって延び、その端部からフランジ部７１を径方向外側に向かって延びている。
【００２７】
フランジ部７１を延びるメッキ部分７９上において、上述の第１接片１６と同様に導電性のバネ性を有する材料で製造された第２接片９０がねじ９１で固定されている。第２接片９０は固定筒３０の内面まで延びてメッキ部分３６と接触している。
【００２８】
第３レンズ群Ｌ３の被写体側には、シャッタ絞りユニット８３が設けられている。このシャッタ絞りユニット８３は、駆動部８４を備えるとともに第３レンズ群Ｌ３に対して固定されている。駆動部８４には、上述の第１接片１６及び第２接片９０と同様に、導電性のバネ性を有する部材で製造された第３接片８５が接続され、第３接片８５は、光軸Ａと略平行に像側に延び、開口部７６を貫通して第３レンズ群室７４の像側（ｚマイナス側）のメッキ部分７９と接触している。
【００２９】
第２レンズ群筒８０は、内側直進筒７０の内径側に挿入される筒体であって、カム筒６０によって光軸Ａ方向に駆動される移動筒である。また、第２レンズ群筒８０は、その外周面に内側直進筒７０に形成された直進案内孔９２を貫通してカム筒６０のカム溝６１に挿入されるカムフォロワピン８１が形成されている。さらに、第２レンズ群筒８０は、第２レンズ群Ｌ２が固定される円環状の部材である第２レンズ群室８２が、その内径側にネジ結合によって固定されている。
【００３０】
次に、レンズ鏡筒１の駆動時の動作について説明する。レンズ鏡筒１が図１に示す沈胴状態にある場合、メイン基板１４から延びる第１接片１６は、固定筒３０の第１材料３４上に形成されたメッキ部分３６に接し、メイン基板１４とメッキ部分３６は導通している。
【００３１】
また、内側直進筒７０のメッキ部分７９と固定筒３０の内周面のメッキ部分３６とは第２接片９０により導通している。シャッタ絞りユニット８３の駆動部８４とメッキ部分７９とは、第３接片８５により接続されている。したがって、シャッタ絞りユニット８３の駆動部８４とメイン基板１４とは、ＦＰＣを使用することなく電気的に接続されている。
【００３２】
レンズ鏡筒１が沈胴状態から図２に示す撮影状態のワイド端に移行する際、カム筒６０は、図示しない駆動装置によって固定筒３０に対して光軸Ａ回りに回転駆動され、固定筒３０のヘリコイド３１に案内されて光軸Ａ方向被写体側に移動する。外側直進筒４０及び内側直進筒７０は、カム筒６０に伴って光軸Ａ方向被写体側に移動する。このとき外側直進筒４０及び内側直進筒７０は、それぞれ固定筒３０の直進案内溝３２に案内されて光軸Ａ方向に直進する。また、第１レンズ群筒５０は、カム溝６１と、カムフォロアピン８１と、直進溝９２とによるカム機構によって光軸Ａ方向被写体側に繰り出され、外側直進筒４０の直進案内溝４１に案内されて光軸Ａ方向に直進する。
【００３３】
この移動の際、第２接片９０は、内側直進筒７０の固定筒３０に対する相対移動に伴い、メッキ部分３６を光軸Ａ方向被写体側に向かって摺動する。メッキ部分３６は固定筒３０の内周面上において、固定筒３０の被写体側端部から像側端部まで連続して形成されている。したがって沈胴状態からワイド状態への移動中において、駆動部８４とメイン基板１４との間の導通は確保される。
【００３４】
ワイド状態からカム筒６０をさらに回転させると、外側直進筒４０、第１レンズ群筒５０、及び内側直進筒７０はさらに光軸Ａ方向被写体側に直進し、テレ状態となる。
【００３５】
この移動の際、第２接片９０は、内側直進筒７０の固定筒３０に対する相対移動に伴い、メッキ部分３６を光軸Ａ方向を被写体側に向かって摺動する。メッキ部分３６は固定筒３０の内周面上において、固定筒３０の被写体側端部から像側端部まで連続して形成されている。したがってワイド状態からテレ状態への移動中においても駆動部８４とメイン基板１４との間の導通は確保される。
【００３６】
以上、本実施形態によると、以下の効果を有する。
（１）本実施形態によると、メイン基板１４から延びる第１接片１６は、固定筒３０の内周に形成されたメッキ部分３６に接して、メイン基板１４と第1接片１６は電気的に接続している。メッキ部分３６と内側直進筒７０の表面上に形成されたメッキ部分７９とは第２接片９０により電気的に接続している。そして、シャッタ絞りユニット８３の駆動部８４とメッキ部分７９とは、第３接片８５により電気的に接続されている。したがって、シャッタ絞りユニット８３の駆動部８４とメイン基板１４とを、ＦＰＣを使用することなく電気的に接続することができ、ＦＰＣを使用することに伴う、収納用スペースの問題や、ＦＰＣの劣化による導通路の切断等の問題が生じない。
【００３７】
（２）二色成型により、固定筒３０や内側直進筒７０をメッキ可能な第１材料３４，７７と該第１材料３４，７７よりもメッキが付き難い第２材料３５，７８とで製造し、その後、第１材料３４，７７にメッキ部分３６，７９を形成することにより電気的導通路を形成する。したがって、例えば、固定筒３０等の円筒部材の内面等のような、外部より導通路を配置することが困難な部分にも導通路を容易に形成することができる。
（３）内側直進筒７０の第３レンズ群室７４に開口部７６を設け、その開口部７６に第３接片８５を貫通させてシャッタ絞りユニット８３の駆動部８４と内側直進筒７０のメッキ部分７９とを電気的に接続した。またＣＣＤ台１２に開口部１５を設け、その開口部１５に第１接片１６を貫通させて固定筒３０とメイン基板１４とを電気的に接続した。このように、開口部７６，１５を設けてその間を第３接片８５、第１接片１６を貫通させることにより、導通路を短距離にすることができる。
【００３８】
（変形形態）
以上、説明した実施形態に限定されることなく、以下に示すような種々の変形や変更が可能であり、それらも本発明の範囲内である。
【００３９】
（１）本実施形態では、第１材料３４で製造された線状部、すなわちメッキ部分３６を、固定筒３０のｚマイナス側端部からｚプラス側端部まで延びるように製造した。しかし、これに限らず、第１材料３４（メッキ部分３６）が、２部材の相対移動可能な距離以上の長さにわたって設けられていれば、端部まで延びていなくともよい。
【００４０】
（２）本実施形態では、第１材料３４と第２材料３５とを二層となるように構成した。しかし、これに限らず、第１材料が、第２材料間において一層の状態で延びる構成としてもよい。
【００４１】
（３）本実施形態では、第１材料３４，７７（メッキ部分３６，７９）が固定筒３０や内側直進筒７０の内面、又は内側直進筒７０の光軸に対して垂直なフランジ部７１において延びるように製造した。しかし本発明はこれに限定されず、例えば、図５（ａ）に示すように第１材料（メッキ部分）１０１を筒体１００の外周面又は内周面において円周方向に設けてもよい。また図５（ｂ）に示すように第１材料（メッキ部分）１０１’をらせん状に設ける等、第１材料（メッキ部分）１０１’の延びる方向が筒体１００’の円周に沿う成分を有するように構成してもよい。このような形態にすることにより、例えば、筒体１００，１００’が他の筒体に対して回転しながら直進する場合に両筒体を接続する導通路を確保することができる。
【００４２】
（４）本実施形態では、固定筒３０において内周面にのみ第１材料３４を配置した。また内側直進筒７０において内周面及びフランジ部７１及び第３レンズ群室７４の側面に第１材料７７を配置したが、本発明はこれに限定されない。図６は、内側直進筒７０’のフランジ部７１’を延びる第１材料７７’が、更にフランジ部７１’の外周面まで延びている構成を示した図である。このように構成することで、例えば本実施形態における第２接片９０のような部材を設けることなく、固定筒３０’のメッキ部分３６’と、内側直進筒７０’のフランジ部７１’の外周面を延びる第１材料７７’とが直接摺動するようにすることで、部材数を削減することができる。
【００４３】
（５）第１材料を筒体の円周面の径方向や軸方向等の相対移動する方向において所定間隔で配置することもでき、位置検出に使用することもできる。
【００４４】
（６）本実施形態では、固定筒３０と内側直進筒７０とに第１材料３４，７７（メッキ部分３６，７９）を配置したが、これに限定されず、レンズ鏡筒１における他の筒状部材にも第１材料（メッキ部分）を配置し、レンズ鏡筒１においてさらに被写体側の部材における駆動部まで電気接続を延ばすこともできる。
【００４５】
（７）本実施形態では、メイン基板１４から固定筒３０へ第１接片１６で接続する構成とした。しかし、本発明はこれに限定されず、メイン基板１４の裏面（ｚプラス側面）にＣＰＵ等を設けてその裏面と固定筒３０の内面のメッキ部分３６とを直接電気的に接続させてもよい。
【００４６】
（８）本実施形態では、メイン基板とシャッタユニットとを接続する導通路について説明したが、本発明はこれに限定されず、例えばメイン基板とＶＲ駆動部とを接続する導通路であってもよい。
なお、実施形態及び変形形態は、適宜組み合わせて用いることもできるが、詳細な説明は省略する。また、本発明は以上説明した実施形態によって限定されることはない。
【図面の簡単な説明】
【００４７】
【図１】レンズ鏡筒の光軸を含む断面における側断面図であって、沈胴状態を示す図である。
【図２】レンズ鏡筒の光軸を含む断面における側断面図であって、ワイド状態を示す図である。
【図３】レンズ鏡筒の光軸を含む断面における側断面図であって、テレ状態を示す図である。
【図４】内側直進筒の斜視図である。
【図５】本発明の変形形態であり、（ａ）は円周方向にメッキ部分を形成した状態、（ｂ）はらせん状にメッキ部分を形成した状態を示した図である。
【図６】本発明の変形形態であり、第１材料が、フランジ部の外周面まで延びている構成を示した図である。
【符号の説明】
【００４８】
１：レンズ鏡筒、１４：メイン基板、３０：固定筒、３４：第１材料、３５：第２材料、３６：メッキ、７０：内側直進筒、７１：端面、７６：開口部、７７：第１材料、７８：第２材料、７９：メッキ、８４：駆動部、８５：第３接片
【図１】
0005157640.tif 000002
【図２】
0005157640.tif 000003
【図３】
0005157640.tif 000004
【図４】
0005157640.tif 000005
【図５】
0005157640.tif 000006
【図６】
0005157640.tif 000007